(57)【要約】【課題】本発明は、情報記録部の隠蔽を一層確実にする情報記録媒体、判別マスク、情報記録媒体の情報認識装置および秘匿情報検知装置を提供することを目的とする。【解決手段】秘匿情報の全部又は一部を保持している回折格子を有する微小な回折格子要素の複数個が基板表面に配置されており、光源からの照明光の照射に基づく回折光の全部又は一部が空間上の所定領域に入射するように格子間隔および格子角度が設定されていると共に、少なくとも２個以上の回折格子要素の組み合わせからなる回折格子要素群からの回折光の全部又は一部が入射する所定領域における再生情報和が、所定の秘匿情報として１つ又は複数個現出されるようになっており、これらの秘匿情報を保持する回折格子要素が存在しない領域には、所定領域以外もしくは任意の領域に回折光が入射するように設定された、ダミーとなる回折格子要素を混在させたことを特徴とする。【選択図】図４
2007257423.tif 000002
【特許請求の範囲】
【請求項１】
秘匿情報の全部又は一部を保持している回折格子を有する微小な回折格子要素の複数個が基板表面に配置されており、光源からの照明光の照射に基づく回折光の全部又は一部が空間上の所定領域に入射するように格子間隔および格子角度が設定されていると共に、少なくとも２個以上の回折格子要素の組み合わせからなる回折格子要素群からの回折光の全部又は一部が入射する所定領域における再生情報和が、所定の秘匿情報として１つ又は複数個現出されるようになっており、これらの秘匿情報を保持する回折格子要素が存在しない領域には、所定領域以外に回折光が入射するように設定された、ダミーとなる回折格子要素を混在させたことを特徴とする回折格子を有する情報記録媒体。
【請求項２】
秘匿情報の全部又は一部を保持している回折格子を有する微小な回折格子要素の複数個が基板表面に配置されており、光源からの照明光の照射に基づく回折光の全部又は一部が空間上の所定領域に入射するように格子間隔および格子角度が設定されていると共に、少なくとも２個以上の回折格子要素の組み合わせからなる回折格子要素群からの回折光の全部又は一部が入射する所定領域における再生情報和が、所定の秘匿情報として１つ又は複数個現出されるようになっており、これらの秘匿情報を保持する回折格子要素が存在しない領域には、任意の領域に回折光が入射するように設定された、ダミーとなる回折格子要素を混在させたことを特徴とする回折格子要素を有する情報記録媒体。
【請求項３】
請求項１に記載の回折格子を有する情報記録媒体の表面に重畳し、少なくとも１つの秘匿情報が現出するように、秘匿情報を保持する回折格子要素を含む回折格子要素群への光源からの照射光を透過させると共に、当該領域以外への光源からの照射光を透過させないことを特徴とする判別マスク。
【請求項４】
請求項２に記載の回折格子要素を有する情報記録媒体の表面に重畳し、少なくとも１つの秘匿情報が現出するように秘匿情報を保持する回折格子要素を含む回折格子群への光源からの照射光を透過させると共に、秘匿情報を保持する回折格子要素からの回折光が入射する所定領域と同じ領域に回折光が入射するように設定された、ダミーとなる回折格子要素を含む領域への光源からの照射光を透過させないことを特徴とする判別マスク。
【請求項５】
請求項１または２に記載の回折格子要素を有する情報記録媒体の表面に判別マスクを重畳し、内包されている秘匿情報を含む情報を判別することを特徴とする情報記録媒体の判別方法。
【請求項６】
請求項１または２に記載の回折格子要素を有する情報記録媒体の上に判別マスクをのせた表示体を判定するための装置であって、光源と、この光源から回折格子要素への照明光に基づく回折光の組み合わせによって現出される秘匿情報を読み取るための秘匿情報読み取り手段と、この秘匿情報読み取り手段からの情報に基づいて真偽判定を行なう判定手段とを少なくとも具備していることを特徴とする情報記録媒体の情報認識装置。
【請求項７】
前記光源からの照明光が回折格子要素に照射され、回折された後に回折光が入射する所定領域の近傍に回折像を結像するための投影スクリーンが配置されていると共に、この投影スクリーンに結像された回折像を情報読み取り手段が読み取って電気信号に変換することを特徴とする請求項２記載の情報記録媒体の情報認識装置。
【請求項８】
前記光源を複数個有することを特徴とする請求項２、４、５のいずれかに記載の情報記録媒体の秘匿情報検知装置。
【発明の詳細な説明】
【技術分野】
【０００１】
本発明は、秘匿情報の全部又は一部を保持している回折格子を有する微小な回折格子要素にダミーとなる回折格子要素を混在させたことを特徴とする回折格子を有する情報記録媒体上に特定の判別マスクを重畳することで内包されている隠しパターンを含む情報の判別を行い、更に光源からの照明光の照射によって内在している秘匿情報の真贋判定を行なうことで、秘匿情報を目視判別することが困難であり、より一層高度な偽造防止効果を実現することができるようにした、回折格子を有する情報記録媒体と、この情報記録媒体に隠蔽されている隠蔽情報を認証し、その真贋の判定を確実に行えるようにした情報記録媒体の情報認識装置および秘匿情報検知装置に関する。
【背景技術】
【０００２】
従来から、平面状の基板上に、表面に回折格子を有する微小な回折格子要素（ドット）を画素として複数個配置することにより得られる回折格子パターンを有する、ディスプレイなどの情報記録媒体が多く使用されてきている。
【０００３】
このような回折格子パターンは２光束干渉による露光や電子ビーム露光装置による記録等で得られる。このうち、２光束干渉による方法としては、２本のレーザービームを干渉させて微小な干渉縞（以下、回折格子と称す）を、そのピッチ、方向、光強度を適宜変化させながら感光材料上に次々と露光して得られるものである（特許文献１参照）。
【０００４】
また、電子ビーム露光装置による方法としては、電子ビーム露光装置を用い、コンピュータ制御により、平面状の基板が載置されたＸＹステージを移動させ、基板の表面に微小な回折格子要素の複数個を絵柄状に記録・配置することで得られるものである（特許文献２参照）。
【０００５】
ところで、このような回折格子を有する情報記録媒体の真贋を検証機を用いて判定する方法として、例えば、微小回折格子要素（ドット）の配列中に記録してあるパターン情報の部分へレーザー光等を照射して回折光を得、それをセンサーで読み出すという方法がある（特許文献３参照）。
【０００６】
しかし、これらのようにして得られる回折格子を有する情報記録媒体は、特定の領域に情報を記録していることから、拡大鏡などの観察装置で容易に情報を記録している領域を発見することができ、レーザー光を照射する角度さえ解ってしまえば、その情報を基に模造品を作成することも可能となってしまう。このような問題を解決するために、目視では判別できないような隠しパターンを、目視で観察できる回折格子パターン内に混在させ、判別具を使って隠しパターンを表示させる方法が提案されている。（例えば、特許文献４参照）
しかし、上記の方法では、一度判別具を入手してしまえば、どのような情報が内包されているかが分かってしまうという問題がある。
【特許文献１】特開平５−７２４０６号公報
【特許文献２】米国特許第５０５８９９２号明細書
【特許文献３】特開平５−５０７８８号公報
【特許文献４】特開平１０−１０９５６号公報
【発明の開示】
【発明が解決しようとする課題】
【０００７】
本発明は、上記の問題点を解決するためになされたもので、情報記録部の隠蔽を一層確実にする情報記録媒体とその情報記録媒体から秘匿情報を確実に読み取り、解読することのできる判別マスク、情報記録媒体の情報認識装置および秘匿情報検知装置を提供することを目的とする。
【課題を解決するための手段】
【０００８】
上記の目的を達成するための解決手段として、すなわち
請求項１に記載の発明は、秘匿情報の全部又は一部を保持している回折格子を有する微小な回折格子要素の複数個が基板表面に配置されており、光源からの照明光の照射に基づく回折光の全部又は一部が空間上の所定領域に入射するように格子間隔および格子角度が設定されていると共に、少なくとも２個以上の回折格子要素の組み合わせからなる回折格子要素群からの回折光の全部又は一部が入射する所定領域における再生情報和が、所定の秘匿情報として１つ又は複数個現出されるようになっており、これらの秘匿情報を保持する回折格子要素が存在しない領域には、所定領域以外に回折光が入射するように設定された、ダミーとなる回折格子要素を混在させたことを特徴とする回折格子を有する情報記録媒である。
【０００９】
また、請求項２に記載の発明は、秘匿情報の全部又は一部を保持している回折格子を有する微小な回折格子要素の複数個が基板表面に配置されており、光源からの照明光の照射に基づく回折光の全部又は一部が空間上の所定領域に入射するように格子間隔および格子角度が設定されていると共に、少なくとも２個以上の回折格子要素の組み合わせからなる回折格子要素群からの回折光の全部又は一部が入射する所定領域における再生情報和が、所定の秘匿情報として１つ又は複数個現出されるようになっており、これらの秘匿情報を保持する回折格子要素が存在しない領域には、任意の領域に回折光が入射するように設定された、ダミーとなる回折格子要素を混在させたことを特徴とする回折格子要素を有する情報記録媒体である。
【００１０】
また、請求項３に記載の発明は、請求項１に記載の回折格子を有する情報記録媒体の表面に重畳し、少なくとも１つの秘匿情報が現出するように、秘匿情報を保持する回折格子要素を含む回折格子要素群への光源からの照射光を透過させると共に、当該領域以外への光源からの照射光を透過させないことを特徴とする判別マスクである。
【００１１】
また、請求項４に記載の発明は、請求項２に記載の回折格子要素を有する情報記録媒体の表面に重畳し、少なくとも１つの秘匿情報が現出するように秘匿情報を保持する回折格子要素を含む回折格子群への光源からの照射光を透過させると共に、秘匿情報を保持する回折格子要素からの回折光が入射する所定領域と同じ領域に回折光が入射するように設定された、ダミーとなる回折格子要素を含む領域への光源からの照射光を透過させないことを特徴とする判別マスクである。
【００１２】
また、請求項５に記載の発明は、請求項１または２に記載の回折格子要素を有する情報記録媒体の表面に判別マスクを重畳し、内包されている秘匿情報を含む情報を判別することを特徴とする情報記録媒体の判別方法である。
【００１３】
また、請求項６に記載の発明は、請求項１または２に記載の回折格子要素を有する情報記録媒体の上に判別マスクをのせた表示体を判定するための装置であって、光源と、この光源から回折格子要素への照明光に基づく回折光の組み合わせによって現出される秘匿情報を読み取るための秘匿情報読み取り手段と、この秘匿情報読み取り手段からの情報に基づいて真偽判定を行なう判定手段とを少なくとも具備していることを特徴とする情報記録媒体の情報認識装置である。
【００１４】
また、請求項７に記載の発明は、前記光源からの照明光が回折格子要素に照射され、回折された後に回折光が入射する所定領域の近傍に回折像を結像するための投影スクリーンが配置されていると共に、この投影スクリーンに結像された回折像を情報読み取り手段が読み取って電気信号に変換することを特徴とする請求項２記載の情報記録媒体の情報認識装置である。
【００１５】
また、請求項８に記載の発明は、前記光源を複数個有することを特徴とする請求項２、４、５のいずれかに記載の情報記録媒体の秘匿情報検知装置である。
【発明の効果】
【００１６】
本発明の回折格子を有する情報記録媒体は、秘匿情報を保持する回折格子要素と、ダミーとなる回折格子要素を混在させることで秘匿情報の存否の発見を困難とすることができ、また、情報記録媒体表面への判別マスクの重畳と所定の光源からの照明との２段階で、内在する隠蔽情報の認識と判定を行なうことによって、隠しパターンが配置されている領域を判別することが困難であり、より一層高度な偽造防止効果を発現し、デザインの自由度の増加ならびに可視性の向上を実現することができる。
【発明を実施するための最良の形態】
【００１７】
以下、本発明の実施形態の一例について図面を参照して詳細に説明する。図１は、本発明の情報記録媒体の一例を示す断面図である。図２は、本発明の情報記録媒体の一例を示す斜視図である。図３は、本発明の情報記録媒体に判別マスクを重畳した状態を示す説明図である。図４は、本発明の情報記録媒体における秘匿情報読取方法の一例を説明する説明図である。図５は、本発明の情報記録媒体における秘匿情報読取方法の他の例を説明する説明図である。
【００１８】
図１に示すように、本発明に係わる回折格子を有する情報記録媒体は、秘匿情報を保持する情報記録媒体で構成されるものである。情報記録媒体１は、保持する秘匿情報によって基材１１の真正を照明するものである。基材１１が紙幣や有価証券、あるいは各種証明書類等である場合には、秘匿情報の存在によって基材１１そのものの真正が証明でき、そうでない場合には偽造と判別できる。また、基材１１が包装材料である場合には、この基材（包装材料）１１で包装された内容物の真偽を判別することができる。
【００１９】
この秘匿情報は、肉眼で読み取ることができず、特定の判別マスクと検知装置を利用して読み取ることができるもので、次のような形態で情報記録媒体１に保持されている。すなわち、情報記録媒体１は、少なくとも光反射層１２４を具備している。図１に示す回折格子を有する情報記録媒体においては、この光反射層１２４を印刷物の基材１１に接着する接着層１２５を具備しているが、このように印刷物の基材１１と光反射層１２４との間に他の層が介在しても構わない。なお、図１において、１２３は光反射層１２４を傷や汚れから保護する保護層である。
【００２０】
また、図２に示すように、回折格子を有する情報記録媒体１は、基板表面に微小な回折格子要素の複数個が配置されており、これらの複数個の回折格子要素は秘匿情報の全部又は一部を保持しており、所定の光源からの照明光が照射されたときの散乱光及び回折光が空間上の所定領域に入射するように格子間隔および格子角度が設定されていると共に、少なくとも２個以上の回折格子要素の組み合わせからなる回折格子要素群を含んでおり、複数個の回折格子要素が存在しない領域に関しては、ダミーとなるパターンを混在させたものである。
【００２１】
より具体的には、この回折格子を有する情報記録媒体１には、基板の表面に微小な回折格子要素の複数個１３ａ，１３ｂ，‥が配置されており、これらの回折格子要素で１つの
回折格子要素群を構成している。これら多数の回折格子要素１３ａ，１３ｂ，‥のうち少なくとも一部の回折格子要素１３ａ，１３ｂ・・・が、前記秘匿情報の全部または一部を保持している。一部の回折格子要素１３ａ，１３ｂ・・・は、所定の面積をもつ光源からの照明光が照明されたときの回折光が空間上の所定領域に入射するように、格子間隔及び格子角度がそれぞれ設定されている。そして、回折格子を有する情報記録媒体は、これらの少なくとも２個以上の回折格子要素の組み合わせになる回折格子要素群を含むと共に、回折格子要素群に対応する空間上の所定領域における再生情報和により所定の秘匿情報がパターン化されるようになっている。
【００２２】
また、他の回折格子要素１３ｘ，１３ｙ，・・・はダミーであって、秘匿情報を保持することのないものである。そして、このダミーの回折格子要素１３ｘ，１３ｙ，・・・を混在させることによって、秘匿情報を保持する回折格子要素１３ｘ，１３ｙ，・・・の存否及びその位置を隠している。このとき、回折格子要素１３ａ，１３ｂ・・は、光源からの照明光による回折光が所定の領域に入射するように回折格子要素の格子間隔及び格子角度を設定してある。また、１３ａ，１３ｂ…以外の回折格子要素はこの領域には入射しないように設定してある。
【００２３】
図３は、上記の回折光を有する情報記録媒体に判別マスク６を重畳した状態の一例を示している。この判別マスクは、情報記録媒体の表面に配置や貼着するなどして、秘匿情報を保持する回折格子要素１３ｘ，１３ｙ，・・・を内包する回折格子要素群１３，及びその他の回折格子要素群１４，１５，１６・・への光源からの照射光だけを透過させるように設計されている。
【００２４】
また、判別マスクによって、光源からの照射光を、秘匿情報をもつ回折格子要素と同じ領域に回折光を入射させるように設計されたダミーの回折格子要素が含まれる回折格子要素群へ透過させないようにすることもできる。このとき、秘匿情報を含む回折格子要素群とダミーの回折格子要素群を含めた多数の回折格子要素群のそれぞれを画素とし、その全体で可視画像を構成した場合には、角度によって色彩や画像が変化する美麗な可視画像を表示して、この美麗な可視画像中に秘匿情報を紛れ込ませることが可能となり、その存否及び位置の発見を一層困難とすることができる。
【００２５】
図４において、平面状の光源からの照明光は、回折格子群１３，１４，１５，・・・の中の各回折格子要素１３ａ，１３ｂ，・・で設計された回折角度で回折し、空間上の所定領域に入射する。反射回折光の検知は、例えば予め予定されていた位置にセンサーを配置しておくことによって可能である。また、予め、予定された位置に投影スクリーンを配置して前記回折光をこのスクリーンに射出させ、こうして得られた光点の有無をカメラなどで撮影することも可能である。このとき、回折格子要素１３ａ，１３ｂ・・で回折した光がこの領域に入射するように回折格子要素の格子間隔及び格子角度を設定してある。また、回折格子を有する情報記録媒体の回折格子要素１３ａ，１３ｂ…以外の回折格子要素はこの領域には入射しないように設定してある。このため、回折格子を有する情報記録媒体に所定の光源より照明光を照明することで、上記回折格子要素からの回折光が所定領域にそれぞれ入射し、それらの組み合わせによって所定の秘匿情報がパターン化される。そして、このパターンを確認することにより、真偽の判定を行なうことができる。
【００２６】
図４では、秘匿情報の一部を保持する１３，１４，１５，１６の４個の回折格子要素群を利用し、同一の面光源３からの照射光に応答して出射した４種の反射回折光を投影スクリーン３に照射せしめ、この光点をカメラ５などで撮影する方法を示している。図中、６はＣＰＵなどの判断手段を示している。また、これら複数の回折格子要素群１３，１４，・・・のそれぞれに対し異なる方向に配置された面光源から読み取り光を照射することによって秘匿情報を再現することもできる。すなわち、これら複数の回折格子要素群のうち
、一部の回折格子要素群１３，１４に対し特定の光源３１から光照射して前記秘匿情報の一部を再現し、他の回折格子要素群１５，１６に対し前記特定の光源３１とは異なる方向に配置された紫外光源３２から光照射して前記秘匿情報の一部を再現する。
【００２７】
図５は、この様子を示す説明図で、回折格子要素群１３及び１４に対し光源３１から読み取り光を照射し、他方、回折格子要素群１５及び１６に対し光源３２から読み取り光を照射して反射回折光を発生させている。図中、３１ａ及び３２ｂは、光源３１と３２の切り替えのための切り替え手段である。なお、これら回折格子要素１２，１３，１４，１５からの反射回折光は、いずれも、投影スクリーン３に照射されており、この投影スクリーンに投影されたそれぞれの領域の組み合わせからの所定の秘匿情報のデータを読み取るための情報読み取り手段（レンズ６、撮像素子等）が少なくとも具備されている。
【００２８】
回折光が入射する所定領域の組み合わせによってパターン化されてなる秘匿情報は、情報読み取り手段を構成するレンズを介して、投影スクリーンに投影された像を秘匿情報として撮像素子上に記録する。そして、この記録データから所定の演算を行い、判定手段により真偽判定を行なうことができる。
【図面の簡単な説明】
【００２９】
【図１】本発明の情報記録媒体の一例を示す断面図である。
【図２】本発明の情報記録媒体の一例を示す斜視図である。
【図３】本発明の情報記録媒体に判別マスクを重畳した状態を示す説明図である。
【図４】本発明の情報記録媒体における秘匿情報読取方法の一例を説明する説明図である。
【図５】本発明の情報記録媒体における秘匿情報読取方法の他の例を説明する説明図である。
【符号の説明】
【００３０】
１‥情報記録媒体
１１‥基材
１２‥情報保持層
１２４‥光反射層
１３ａ，１３ｂ，１３ｃ，１３ｄ‥秘匿情報を保持する回折格子要素
１３ｘ，１３ｙ‥ダミーの回折格子要素
１３，１４，１５，１６…回折格子要素群
１７，１８…ダミーの回折格子要素群
２‥判別具
３，３１，３２‥光源
４‥カメラの像面
５‥カメラ
６…判別マスク
７‥レンズ
８‥投影スクリーン
【図１】
2007257423.tif 000003
【図２】
2007257423.tif 000004
【図３】
2007257423.tif 000005
【図４】
2007257423.tif 000006
【図５】
2007257423.tif 000007